(57)【要約】【課題】車イス使用者が地上の平面駐車と同様の感覚で駐車することができる昇降式駐車装置を供すること【解決手段】パレット装置１は上段パレット３及び下段パレット５からなる。上記上段パレット３及び下段パレット５は、適宜のパレット面を有し、連結フレーム７により一体に設けられ同時に昇降する。９はピットであり、上記パレット装置１は該ピット９内に昇降自在に設ける。上段パレット３は前進乗込用駐車スペース３ａ及び後進乗込用駐車スペース３ｂを設けるとともに、両スペースの間に共用歩廊１１を設ける。パレット装置における各段パレットの全部又は一部を前進乗込用と後進乗込用とするから、いずれの場合の運転席も中央の共用歩廊に面することとなる。共用歩廊は車イスの移動に十分なスペースであるから、身体障害者等は車イスに乗り換えて地上に降りることができる。【選択図】図２
2005090112.tif 000002
【特許請求の範囲】
【請求項１】
上下２段式の昇降自在のパレットからなる昇降式駐車装置において、ピットと該ピット内に設けるパレット装置とからなり、上記パレット装置は夫々複数台の自動車を収容する上段パレット及び下段パレットを一体に設けてなり、上記パレット装置の全部又は一部に前進乗込用駐車スペース及び後進乗込用駐車スペースを設けるとともに、両スペースの間に共用歩廊を設けることを特徴とする昇降式駐車装置。
【請求項２】
請求項１記載の昇降式駐車装置において、前進乗込用駐車スペース及び後進乗込用駐車スペース並びに両スペースの間に共用歩廊を設けるのが上記パレット装置の上段パレット及び下段パレットであることを特徴とする昇降式駐車装置。
【請求項３】
請求項１記載の昇降式駐車装置において、前進乗込用駐車スペース及び後進乗込用駐車スペース並びに両スペースの間に共用歩廊を設けるのが上記パレット装置の上段パレットであることを特徴とする昇降式駐車装置。
【請求項４】
請求項１記載の昇降式駐車装置において、前進乗込用駐車スペース及び後進乗込用駐車スペース並びに両スペースの間に共用歩廊を設けるのが上記パレット装置の下段パレットであることを特徴とする昇降式駐車装置。
【発明の詳細な説明】
【技術分野】
【０００１】
本願発明は昇降式駐車装置に関し、とくに身体障害者、高齢者等車イスを使用する者が用いることができる昇降式駐車装置に関する。
【背景技術】
【０００２】
最近マンション等で昇降式駐車装置を設置するところが増えている。
【０００３】
昇降式駐車装置は種々の理由からパレットの面積が制約されている。従来の昇降式駐車装置の一例としては例えば非特許文献１がある。これは各段のパレット面の両端部に歩廊を設けたものである。
【０００４】
【非特許文献１】日本発条株式会社のパンフレット（ＵＤパークＮＷＧ）
【０００５】
従来の昇降式駐車装置における歩廊は例えば３５０ｍｍ程度乃至４１０ｍｍ程度せいぜい５００ｍｍ程度であり、駐車した自動車と自動車の間に出来たスペースを歩廊として利用しているに過ぎない。自動車は所定の大きさを有するため、歩廊となるスペースは極めて小とならざるを得ないのが現状である。
【０００６】
このような狭隘な歩廊では車イスを移動に利用することができず、身体障害者や高齢者のように車イスを用いる者の昇降式駐車装置を使用する駐車（機械駐車）は極めて困難となっている。
【０００７】
よって車イスを用いる者の駐車は地上における駐車（平面駐車）になっているのが現状である。
【発明の開示】
【発明が解決しようとする課題】
【０００８】
本願発明は上記背景に鑑み、車イス使用者でも使用することができる昇降式駐車装置を供することを目的とする。
【０００９】
また車イス使用者が地上の平面駐車と同様の感覚で駐車することができる昇降式駐車装置を供することを目的とする。
【課題を解決するための手段】
【００１０】
上記目的達成のため、本願発明による昇降式駐車装置は、上下２段式の昇降自在のパレットからなる昇降式駐車装置において、ピットと該ピット内に設けるパレット装置とからなり、上記パレット装置は夫々複数台の自動車を収容する上段パレット及び下段パレットを一体に設けてなり、上記パレット装置の全部又は一部に前進乗込用駐車スペース及び後進乗込用駐車スペースを設けるとともに、両スペースの間に共用歩廊を設けることを特徴とする。
また、請求項１記載の昇降式駐車装置において、前進乗込用駐車スペース及び後進乗込用駐車スペース並びに両スペースの間に共用歩廊を設けるのが上記パレット装置の上段パレット及び下段パレットであることを特徴とする。
また、請求項１記載の昇降式駐車装置において、前進乗込用駐車スペース及び後進乗込用駐車スペース並びに両スペースの間に共用歩廊を設けるのが上記パレット装置の上段パレットであることを特徴とする。
また、請求項１記載の昇降式駐車装置において、前進乗込用駐車スペース及び後進乗込用駐車スペース並びに両スペースの間に共用歩廊を設けるのが上記パレット装置の下段パレットであることを特徴とする。
【発明の効果】
【００１１】
パレット装置における各段パレットの全部又は一部を前進乗込用と後進乗込用とするから、いずれの場合の運転席も中央の共用歩廊に面することとなる。共用歩廊は車イスの移動に十分なスペースであるから、身体障害者等は車イスに乗り換えて地上に降りることができる。
【発明を実施するための最良の形態】
【００１２】
次に、実施の形態を示す図面に基づき本願発明による昇降式駐車装置をさらに詳しく説明する。なお、便宜上同一の機能を奏する部分には同一の符号を付してその説明を省略する。パレット装置１は上段パレット３及び下段パレット５からなる。上記上段パレット３及び下段パレット５は、いずれも仮想線で示す自動車を２台ずつ収容する程度のパレット面を有し、連結フレーム７により一体に設けられ同時に昇降する。９はピットであり、上記パレット装置１は該ピット９内に昇降自在に設ける。
【００１３】
上記上段パレット３は前進乗込用駐車スペース３ａ及び後進乗込用駐車スペース３ｂを設けるとともに、両スペースの間に共用歩廊１１を設ける。上記下段パレットの両端部に歩廊１３を設ける。上記歩廊１３には下降時上段パレット３を収容する凹部１５を設ける。１７は支柱であり、１９は操作盤（図５に示す）、２１は減速装置（図６に示す）である。
【００１４】
ここでパレット面と共用歩廊１１について説明する。例えば、６０００ｍｍのパレット面の場合において各段パレットの自動車の駐車スペースＡを２５００ｍｍとし、歩廊スペースＢを５００ｍｍとすると、下段パレット５には両端部に各５００ｍｍの歩廊１３が形成されるが、上段パレット３には中央部に５００ｍｍ＋５００ｍｍ＝１０００ｍｍ（「Ｃ」として図示する）の共用歩廊１１が形成される。これは、例えば東京都駐車場条例第１７条の３第３項の条件（普通車用駐車スペース幅２５００ｍｍ＋車イス用スペース幅１０００ｍｍ＝３５００ｍｍの確保）を満たす。なお、身体障害者又は高齢者用の機械駐車に関する国の基準は現在ない。
【００１５】
上記昇降式駐車装置は、支柱１７の側面にブレーキ内蔵型モータ及び減速装置２１を設け、図示しないチェーンを介して駆動用シャフト（図示せず）を回転させてチェーンの巻上げ、巻下しを行なう。かかる駆動機構により、パレット装置１を昇降させている。
【００１６】
図７は操作盤１９を示す。操作盤１９には、「上」「下」「入／切」の各押ボタンが設けられている。操作は、まず、図示しないキーを「切」の位置で差し込み「入」まで回す。次いで、上昇させるときは「上」ボタンを押し、下降させるときは「下」ボタンを押す。各ボタン操作は押し切りで、ボタンを押しているときのみ作動する。
【００１７】
上記昇降式駐車装置は次のようにして使用する。まず、パレット装置１を図１に示す上昇状態にして健常者がその自動車を下段パレット５に駐車する。この場合自動車の乗込方向性はない（前進乗込みでも後進乗込みでもよい）。自動車から降りた健常者は歩廊１３を通り地上に出る。なお、パレット装置１は常時（入出庫終了時）は下降状態としておく。
【００１８】
次いでパレット装置１を図２に示す下降状態にして身体障害者等がその自動車を上段パレット３に駐車する。この場合自動車の乗込方向性があり、例えば左側を前進乗込用、右側を後進乗込用とするように、両側を相互に反対方向とする。
【００１９】
すると、駐車した両車の間に共用歩廊１１のスペースＣが出来る。
【００２０】
共用歩廊１１は上記のように上段パレット３の中央部に１０００ｍｍ形成されるから、運転者（身体障害者、高齢者等）は運転席より出て、車イスによりこの共用歩廊１１を通り、地上に降りることができる。この際健常者の介護があるのは当然である。
【００２１】
本願発明は上記した実施の形態に限定されることはない。例えば、共用歩廊１１を下段パレット５に設けることとし、下段パレット５を車イス使用者用の駐車スペースとしてもよい。この場合下段パレット５の駐車スペースには乗込方向性が生じ、自動車は前進乗込み及び後進乗込みとして、相互に反対方向に駐車する。
【００２２】
また上段パレット３及び下段パレット５の両方ともに共用歩廊１１を設けることもできる。この場合上段パレット３及び下段パレット５いずれにも乗込方向性が生じる。またこの場合はパレット装置１が上昇状態、下降状態のいずれであっても使用することができ、使い勝手が一層良好となる。即ち、健常者はパレット装置１がいずれの状態であってもその状態を正すことなく降車した上で車イス使用者の介護をすることができる。
【００２３】
本願発明による昇降式駐車装置の水平的連接（増設）は当然可能である。
【００２４】
上記実施例で挙げたスペースＡ、Ｂ、Ｃの数値は一例である。またピット９の幅、奥行、深さの寸法は大型車、中型車等に対応すべく適宜に変更可能である。
【００２５】
このように本願発明による昇降式駐車装置によれば、パレット装置における各段パレットの全部又は一部に設けた共用歩廊を利用することにより、身体障害者等の車イス使用者であっても機械駐車の充分な移動スペースを確保することができる。よって車イス使用者が地上の平面駐車と同様の感覚で駐車することができる。
【産業上の利用可能性】
【００２６】
本願発明は立体的な駐車装置として活用することができる。
【図面の簡単な説明】
【００２７】
【図１】本願発明による昇降式駐車装置の上昇時を示す概略正面図である。
【図２】本願発明による昇降式駐車装置の下降時を示す概略正面図である。
【図３】図１のＩＩＩ部拡大図である。
【図４】図２のＩＶ部拡大図である。
【図５】図１の平面図である。
【図６】図１の側面図である。
【図７】本願発明にかかる操作盤の正面図である。
【符号の説明】
【００２８】
１      パレット装置
３      上段パレット
３ａ    前進乗込用駐車スペース
３ｂ    後進乗込用駐車スペース
５      下段パレット
７      連結フレーム
９      ピット
１１    共用歩廊
１３    歩廊
１５    凹部
１７    支柱
１９    操作盤
２１    減速装置
【図１】
2005090112.tif 000003
【図２】
2005090112.tif 000004
【図３】
2005090112.tif 000005
【図４】
2005090112.tif 000006
【図５】
2005090112.tif 000007
【図６】
2005090112.tif 000008
【図７】
2005090112.tif 000009